(57)【要約】      （修正有）【課題】小型でかつ大径硬貨と小径硬貨との２種類に効率よく速く選別することができ、さらに硬貨を複数枚連続して投入された場合であっても誤選別することがない硬貨処理装置を提供する。【解決手段】一方の通路側壁に設けた凸形状の第１のガイド２１ａを含んで通路全体が湾曲した第１の硬貨通路４１と、下流に対して下方に傾斜して設けたレールを含みかつ第１のガイド２１ａと対向する通路側壁に、レールとレールの硬貨転動面より上方に形成した第２のガイド１４との間に形成した大径硬貨の外径よりも小さくかつ小径硬貨よりも大きい幅の空間１２を有する第２の硬貨通路４２とを具え、さらに第２の硬貨通路４１のレールおよびレールに伴う通路側壁の一部をＳ字形状に設けるようにした。【選択図】図１
2012043340.tif 000002
【特許請求の範囲】
【請求項１】
大径硬貨と小径硬貨の２種類の硬貨を外径の差異を利用して選別する硬貨処理装置であって、
硬貨受入口と、
該硬貨受入口に連通しかつ通路を構成する一方の通路側壁に設けた凸形状の第１のガイドを含んで通路全体が湾曲した第１の硬貨通路と、
該第１の硬貨通路に連通しかつ硬貨を転動させるため下流に対して下方に傾斜して設けた傾斜レールを含みかつ通路を構成する通路側壁のうち前記第１のガイドに連通する通路側壁と対向する通路側壁に、前記傾斜レールと該傾斜レールの転動面より上方に形成した第２のガイドとの間に形成した前記大径硬貨の外径よりも小さくかつ前記小径硬貨よりも大きい幅の空間を有する第２の硬貨通路と、
前記第１の硬貨通路の下流端に連通しかつ前記空間の下方に連通して前記傾斜レールの転動面と第２のガイドとの距離より外径が小さい小径硬貨を垂直下方へ案内する小径硬貨出口と、
前記第２の硬貨通路の下流端に連通して前記傾斜レールの転動面と第２のガイドとの距離より外径が大きい大径硬貨を垂直下方へ案内する大径硬貨出口とを具え、
さらに、前記第２の硬貨通路の前記傾斜レールおよび該傾斜レールに伴う通路側壁の一部をＳ字形状に設けたことを特徴とする硬貨処理装置。
【請求項２】
前記傾斜レールに伴う前記空間内に、前記傾斜レールを転動してきた小径硬貨が衝突する衝突面を設けたことを特徴とする請求項１に記載の硬貨処理装置。
【請求項３】
前記空間の前記傾斜レールと前記第２のガイドとの距離を、前記衝突面から前記第２の硬貨通路の下流端に至る間に、前記大径硬貨の外径よりも小さくかつ前記小径硬貨よりも大きい幅から前記小径硬貨の外径よりも小さい幅になるように徐々に小さく形成したことを特徴とする請求項２に記載の硬貨処理装置。
【請求項４】
前記第２の硬貨通路内に進退可能であって、前記傾斜レール上を転動する硬貨を前記空間側へ付勢するレバーを具えることを特徴とする請求項１乃至請求項３のいずれかに記載の硬貨処理装置。
【発明の詳細な説明】
【技術分野】
【０００１】
本発明は、硬貨（代用硬貨（トークン）、遊戯用メダル等を含む）の選別に関し、特に硬貨の外径の差異に基づいて硬貨を選別する硬貨処理装置に関する。
【背景技術】
【０００２】
一般に、硬貨処理装置には、少なくとも２種類の外径の硬貨を選別する外径選別部が配設されており、従来では、大径硬貨と小径硬貨との２種類の外径の硬貨を、落下させて選別するものと、傾いた姿勢でレール上を転動させて選別するものとがある。
【０００３】
前者の硬貨を落下させて選別するものは、例えば、特開昭４８−５７６９７号公報に開示されているように、前記大径硬貨と小径硬貨との硬貨のうち、いずれかの硬貨が落下すると、その硬貨を斜面で受け、硬貨がその斜面に沿って滑り落ちることで硬貨の姿勢を変化させ、更に滑り落ちた硬貨が着地点に到達した際に、小径硬貨の外径よりも大きく大径硬貨の外径よりも小さい幅の空間に前記小径硬貨のみを下方の小径硬貨選別空間へ導き、大径硬貨を前記着地点を延長した通路で転動させるようにしている。
【０００４】
また、後者の硬貨を傾いた姿勢でレール上を転動させて選別するものは、例えば特開２００６−１７３９１３号公報に開示されているように、傾いた硬貨が接する側の壁面に前記小径硬貨の外径よりも若干大きく、前記大径硬貨の外径よりも小さい幅の凹部を形成し、前記２種類の硬貨が転動して前記凹部に到達した際に、小径硬貨のみが前記凹部においてさらに傾くことで前記レールから脱落して落下させ、大径硬貨はそのまま姿勢を変えずに前記レール上を転動させるようにしている。
【先行技術文献】
【特許文献】
【０００５】
【特許文献１】特開昭４８−５７６９７号公報
【特許文献２】特開２００６−１７３９１３号公報
【発明の概要】
【発明が解決しようとする課題】
【０００６】
ところで、硬貨を落下させて選別するものは、着地点で小径硬貨が跳ね返り、小径硬貨選別空間に落下せずに大径硬貨が転動するレール上を転動するという誤選別をする虞があり、これを防止するために、着地点に工夫が必要で、装置の構成が複雑化するという問題があった。
【０００７】
また、硬貨を傾いた姿勢でレール上を転動させて選別するものは、複数の硬貨が連続して投入された場合、小径硬貨が凹部に落下せずに大径硬貨と同様にレール上を転動するという誤選別をする虞があり、これを解消するために、硬貨を転動させるレールを長くすることが必要で、装置が大型化したり、これにより硬貨の選別時間が長くかかったりするという問題があった。
【０００８】
そこで、本発明は、小型でかつ大径硬貨と小径硬貨との２種類に効率よく速く選別することができ、さらに硬貨を複数枚連続して投入された場合であっても誤選別することがない硬貨処理装置を提供することを目的とする。
【課題を解決するための手段】
【０００９】
上述の課題を解決するため、本発明の請求項１に記載の硬貨処理装置は、硬貨受入口と、該硬貨受入口に連通しかつ通路を構成する一方の通路側壁に設けた凸形状の第１のガイドを含んで通路全体が湾曲した第１の硬貨通路と、該第１の硬貨通路に連通しかつ硬貨を転動させるため下流に対して下方に傾斜して設けた傾斜レールを含みかつ通路を構成する通路側壁のうち前記第１のガイドに連通する通路側壁と対向する通路側壁に、前記傾斜レールと該傾斜レールの転動面より上方に形成した第２のガイドとの間に形成した前記大径硬貨の外径よりも小さくかつ前記小径硬貨よりも大きい幅の空間を有する第２の硬貨通路と、前記第１の硬貨通路の下流端に連通しかつ前記空間の下方に連通して前記傾斜レールの転動面と第２のガイドとの距離より外径が小さい小径硬貨を垂直下方へ案内する小径硬貨出口と、前記第２の硬貨通路の下流端に連通して前記傾斜レールの転動面と第２のガイドとの距離より外径が大きい大径硬貨を垂直下方へ案内する大径硬貨出口とを具え、さらに、前記第２の硬貨通路の前記傾斜レールおよび該傾斜レールに伴う通路側壁の一部をＳ字形状に設けるようにしている。
【００１０】
また、請求項２に記載の硬貨処理装置は、請求項１に記載の硬貨処理装置において、さらに、前記傾斜レールに伴う前記空間内に、前記傾斜レールを転動してきた小径硬貨が衝突する衝突面を設けるようにしている。
【００１１】
また、請求項３に記載の硬貨処理装置は、請求項２に記載の硬貨処理装置において、さらに、前記空間の前記傾斜レールと前記第２のガイドとの距離を、前記衝突面から前記第２の硬貨通路の下流端に至る間に、前記大径硬貨の外径よりも小さくかつ前記小径硬貨よりも大きい幅から前記小径硬貨の外径よりも小さい幅になるように徐々に小さく形成するようにしている。
【００１２】
また、請求項４に記載の硬貨処理装置は、請求項１乃至請求項３のいずれかに記載の硬貨処理装置において、さらに、前記第２の硬貨通路内に進退可能であって、前記傾斜レール上を転動する硬貨を前記空間側へ付勢するレバーを具えるようにしている。
【発明の効果】
【００１３】
本発明によれば、硬貨受入口から硬貨通路内へ受け入れた硬貨のうち、小径硬貨を落下させながら小径硬貨出口へと振り分け、たとえ小径硬貨が落下中に振り分けられずに傾斜レール上を下流へ侵入しても、大径硬貨のみを第１のガイドと第２のガイドと傾斜レールとによって所定の傾斜姿勢を保持するように、傾斜レールに到達した際に一方の硬貨通路側壁側へ傾斜していた姿勢を下流方向に案内するに従って徐々に他方の硬貨通路側壁側へと倒しながら他方の硬貨通路側壁側へと進行方向を変えて大径硬貨出口へ案内し、前記所定の傾斜姿勢を保持しない小径硬貨を確実に小径硬貨出口へと案内するあるいは装置外部に排出することによって、小径硬貨の大径硬貨出口への侵入を防ぐようにしたから、短い硬貨通路内であっても確実に大径硬貨と小径硬貨との２種類に選別することができるので、従来よりも小型でかつ選別速度が向上し、さらに硬貨を複数枚連続して投入された場合であっても誤選別することがない硬貨処理装置を提供できる。
【図面の簡単な説明】
【００１４】
【図１】本発明の一実施例の硬貨処理装置１００の概略斜視図。
【図２】本発明の一実施例の硬貨処理装置１００の本体１０を示す概略正面図。
【図３Ａ】図２におけるＡ−Ａ切断部端面図。
【図３Ｂ】図３Ａにおいて、本体１０からカバー２０を外した状態を示す分解図。
【図４Ａ】小径硬貨Ｓが垂直通路４１を通過する様子を示す、図２におけるＡ−Ａ切断部端面図。
【図４Ｂ】小径硬貨Ｓが垂直通路４１を通過する様子を示す、図２におけるＡ−Ａ切断部端面図。
【図４Ｃ】小径硬貨Ｓが小径硬貨出口５０に落下する様子を示す、図２におけるＡ−Ａ切断部端面図。
【図５Ａ】小径硬貨Ｓが傾斜通路４２から落下する様子を示す、本体１０の概略正面図。
【図５Ｂ】小径硬貨Ｓが傾斜通路４２から落下する様子を示す、本体１０の概略正面図。
【図５Ｃ】小径硬貨Ｓが傾斜通路４２に停止する様子を示す、本体１０の概略正面図。
【図６Ａ】大径硬貨Ｌが垂直通路４１を通過する様子を示す、図２におけるＡ−Ａ切断部端面図。
【図６Ｂ】大径硬貨Ｌが垂直通路４１を通過する様子を示す、図２におけるＡ−Ａ切断部端面図。
【図６Ｃ】大径硬貨Ｌがレール１３に到達した様子を示す、図２におけるＡ−Ａ切断部端面図。
【図７】本発明の一実施例の硬貨処理装置１００の本体１０を示す概略斜視図。
【図８】大径硬貨Ｌが傾斜通路４２を通過する様子を示す、図２におけるＢ−Ｂ切断部端面図。
【図９Ａ】図２におけるＣ−Ｃ切断部断面図。
【図９Ｂ】大径硬貨Ｌが傾斜通路４２を通過する様子を示す、図２におけるＣ−Ｃ切断部断面図。
【図９Ｃ】大径硬貨Ｌが傾斜通路４２を通過する様子を示す、図２におけるＣ−Ｃ切断部断面図。
【発明を実施するための形態】
【００１５】
以下、本発明の硬貨処理装置の一実施例の形態を、図面を参照して詳細に説明する。
【００１６】
図１に示す硬貨処理装置１００は、大径硬貨Ｌと小径硬貨Ｓとの２種類の径の硬貨（図２等参照）を選別する装置であって、本体１０と、該本体１０正面の略全面を開閉自在に覆いかつ図示せぬ軸を介して本体１０に対して回動自在に支承されるカバー２０とを主として構成される。このカバー２０は、装置外部の図示せぬ返却レバー等の操作等によって拡開するようにしており、図１は、カバー２０を本体１０から拡開した状態を示している。
【００１７】
また、硬貨処理装置１００は、円板受入口３０と、硬貨受入口３０から投入された硬貨を下流に案内する硬貨通路４０と、硬貨通路４０の途中の下方に設けられた小径硬貨出口５０と、硬貨通路４０の下流端に設けられた大径硬貨出口６０とを有する。
【００１８】
硬貨受入口３０は、本体１０に対してカバー２０を閉じた状態において、本体１０側の通路壁面１０ａ、１０ｂ、１０ｃと、カバー２０側の通路壁面２０ａとに囲まれ、硬貨処理装置１００の上方で硬貨通路４０の上流端に形成された孔である。
【００１９】
硬貨通路４０は、硬貨受入口３０から投入された硬貨を垂直下方に案内する垂直通路４１と、垂直通路４１の下流に連通して前記硬貨を下流へ転動させるよう傾斜する傾斜通路４２とから構成されるものであり、小径硬貨出口５０へ小径硬貨Ｓを案内し、大径硬貨出口６０に大径硬貨Ｌを案内することで硬貨を選別するものである。
なお、この垂直通路４１および傾斜通路４２の構成については後に詳述する。
【００２０】
小径硬貨出口５０は、垂直通路４１の下方から傾斜通路４２の下方にかけて設けられ、本体１０に対してカバー２０を閉じた状態において、本体１０側の通路壁面１０ｃ、１０ｅと、小径硬貨出口５０と大径硬貨出口６０とを隔てる仕切板１１と、カバー２０側の通路壁面２０ｂとによって囲まれ、硬貨処理装置１００の下方に形成された孔である。
【００２１】
大径硬貨出口６０は、傾斜通路４２の下流端に設けられ、本体１０に対してカバー２０を閉じた状態において、本体１０側の通路壁面１０ｆ、１０ｇと、仕切板１１と、カバー２０側の通路壁面２０ｂとによって囲まれ、硬貨処理装置１００の下方で傾斜通路４２の下流端に形成された孔である。
【００２２】
このように、硬貨受入口３０と硬貨通路４０と小径硬貨出口５０と大径硬貨出口６０とは、本体１０とカバー２０との間に設けられた空間によって形成されている。
【００２３】
次に、硬貨処理装置１００の外径選別部である垂直通路４１および傾斜通路４２の構成について詳述する。
【００２４】
図２は、硬貨処理装置１００の本体１０を示す概略正面図であって、カバー２０を取り外した状態を示している。なお、図２中の円Ｌおよび円Ｓは、それぞれ硬貨通路を転動する大径硬貨Ｌおよび小径硬貨Ｓの輪郭を示すものである。
【００２５】
また、図３Ａは、装置本体１０に対してカバー２０を閉じた状態における図２のＡ−Ａ切断部端面図であり、図３Ｂは、図３Ａを本体１０とカバー２０とを分解した状態を示している。
【００２６】
垂直通路４１は、本体１０側の側面（垂直通路４１内を落下する硬貨の一方の平面と対向する面）に凹設された凹形状壁面１２と、カバー２０側の側面（垂直通路４１内を落下する硬貨の他方の平面と対向する面）に凸設された凸部２１とによって、通路側面方向に湾曲した通路を構成している。
なお、この湾曲した通路とは、弓なりの曲線形状のものに限定されず、折れを含む連続した直線や、曲線と直線とを組み合わせた形状であってもよい。
【００２７】
この垂直通路４１の最下部と、傾斜通路４２の下面とを構成するレール１３が、本体１０に形成され、傾斜通路４２の下流に対して下方に傾斜して設けられており、垂直通路４１を落下してきた硬貨を、傾斜通路４２の下流へと転動させるようにしている。
【００２８】
凹形状壁面１２の下部には、レール１３にかけて傾斜壁面１２ａが形成されており、硬貨受入口３０より落下する硬貨の下端が、凸部２１の上部である傾斜部２１ｂに当接して、硬貨の下方から本体１０側に移動して姿勢を変えた後、さらに傾斜壁面１２ａに当接して、硬貨の下方をカバー２０側へ移動させてレール１３の転動面に乗せるようにしている。
【００２９】
また、図１に示すように、凹形状壁面１２と、凸部２１の頭頂部から延設される第１のガイド２１ａとは、傾斜通路４２の下流に向かって設けられており、このうち凹型形状壁面１２の上部には、第２のガイド１４を形成している。
【００３０】
第１のガイド２１ａおよび第２のガイド１４は、傾斜通路４２の終端から先の下流まで形成され、他方、凹形状壁面１２は、壁面１５を終端として、この終端部より下流の傾斜通路４２の壁面は平面からなる平面壁１６が形成されている。
【００３１】
第２のガイド１４と、レール１３の転動面との距離は、垂直通路４１から壁面１５までにおいては、図２の矢印Ｘに示すように、大径硬貨Ｌの外径よりも若干小さい値かつ小径硬貨Ｓよりも大きい値となるよう一定の距離を保って配置されており、壁面１５の位置より下流においては、図２の矢印Ｙに示すように、小径硬貨Ｓの外径よりもさらに小さい値となるようにしている。
【００３２】
さらに、傾斜通路４２のカバー２０側の通路壁面には、軸を介して回転自在に支承され、凹形状壁面１２側へ付勢されて、傾斜通路４２内に進退可能であるレバー２２が設けられており、このレバー２２は、傾斜通路４２内を通過する硬貨を凹形状壁面１２へと押動するようにしている。
【００３３】
次に、上述した硬貨処理装置１００により、大径硬貨Ｌと小径硬貨Ｓとを選別する方法について説明し、合わせて構成をより詳細に説明する。
【００３４】
まず、硬貨通路４０を通過する小径硬貨Ｓを、小径硬貨出口５０に振り分ける方法を説明する。
【００３５】
図４Ａ、図４Ｂおよび図４Ｃは、硬貨受入口３０から投入された小径硬貨Ｓが、垂直通路４１を落下してレール１３から脱落し、小径硬貨出口５０に落下するまでの様子を示す、図２におけるＡ−Ａ切断部端面図である。
【００３６】
また、図５Ａ、図５Ｂおよび図５Ｃは、小径硬貨Ｓが、垂直通路４１の終端部から小径硬貨出口５０に落下せずに傾斜通路４２に侵入した場合、傾斜通路４２内から小径硬貨出口５０に落下するあるいは傾斜通路４２内に停止する様子を示す、本体１０の概略正面図である。
【００３７】
硬貨受入口３０に小径硬貨Ｓが投入されると、傾斜部２１ｂにおいて、その下端が当接して、図４Ａに示すように、傾斜部２１ｂ上を摺動しながら姿勢を変える。
【００３８】
そして、図４Ｂに示すように、この姿勢を変えた小径硬貨Ｓの下端が傾斜壁面１２ａに当接して傾斜壁面１２ａ上を摺動するとともに、小径硬貨Ｓのカバー２０側の平面が傾斜部２１ｂあるいは第１のガイド２１ａに接触しながら落下する。
【００３９】
さらに、図４Ｃに示すように、小径硬貨Ｓの下端がレール１３に到達すると、小径硬貨Ｓ上部のカバー２０側の平面が第１のガイド２１に当接して、凹形状壁面１２側へと倒れて傾斜する。この際、小径硬貨Ｓの径は、図２に示す矢印Ｘの距離よりも小さいので、小径硬貨Ｓ上部の本体１０側の平面は第２のガイド１４に支承されず、さらに凹形状壁面１２側へ姿勢を傾かせてレール１３から逸脱し、小径硬貨出口５０へと落下する。
【００４０】
小径硬貨Ｓが傾斜通路４２に侵入した場合は、第１のガイド２１ａによって小径硬貨Ｓが凹形状壁面１２側に倒されるので、傾斜姿勢の状態のままレール１３上を転動することになり、図５Ａに示すように、傾斜壁面１２ａおよびレール１３から滑り落ちて小径硬貨出口５０へと落下する。
【００４１】
また、たとえ傾斜姿勢の状態を保ったまま、傾斜通路４２を移動したとしても、図１等に示すレバー２２が凹形状通路１２側へと押動するので、小径硬貨Ｓは傾斜姿勢を維持されながら下流方向へ移動することになる。すると、図５Ｂに示すように、小径硬貨Ｓは壁面１５に衝突して、下方の小径硬貨通路５０に落下する。
【００４２】
さらに、衝突面１５に衝突せずに傾斜通路４２をさらに下流に侵入しようとしても、図５Ｃに示すように、図２に示す矢印Ｙの位置において、第２のガイド１４から延設される下部１４ａに衝突して、下部１４ａとレール１３の下流端あるいは仕切板１１とによって挟持され、傾斜通路４２内に停止する。この傾斜通路４２内に停止した小径硬貨Ｓは、前記装置外部の図示せぬ返却レバー等からの操作等により、カバー２０を拡開させることによって、下方に落下し装置外部に排出される。
【００４３】
したがって、硬貨処理装置１００において、連続して小径硬貨Ｓが投入された場合に、前後の硬貨同士が衝突することで小径硬貨Ｓが傾斜通路４２へと進行方向を変えられて傾斜通路４２下流方向へと移動したとしても、確実に小径硬貨Ｓを小径硬貨出口５０へと落下させるあるいは装置外部に排出させて、大径硬貨出口６０への侵入を防ぐことができる。
【００４４】
次に、硬貨通路４０を通過する大径硬貨Ｌを、大径硬貨出口６０に振り分ける方法を説明する。
【００４５】
図６Ａ、図６Ｂおよび図６Ｃは、硬貨受入口３０から投入された大径硬貨Ｌが、垂直通路を落下してレール１３に到達するまでの様子を示す、図２におけるＡ−Ａ切断部端面図である。
【００４６】
硬貨受入口３０に大径硬貨Ｌが投入されると、傾斜部２１ｂにおいて、その下端が当接して、図６Ａに示すように、傾斜部２１ｂ上を摺動しながら姿勢を変える。
【００４７】
そして、図６Ｂに示すように、この姿勢を変えた大径硬貨Ｌの下端が傾斜壁面１２ａに当接して傾斜壁面１２ａ上を摺動するとともに、大径硬貨Ｌのカバー２０側の平面が傾斜部２１ｂあるいは第１のガイド２１ａに接触しながら落下する。
【００４８】
さらに、図６Ｃに示すように、大径硬貨Ｌの下端がレール１３に到達すると、大径硬貨Ｌ上部のカバー２０側の平面が第１のガイド２１に当接して、凹形状壁面１２側へと倒れて傾斜する。この際、大径硬貨Ｌの径は、図２に示す矢印Ｘよりも若干大きいので、大径硬貨Ｌ上部の本体１０側の平面が第２のガイド１４に当接して、レール１３と第１のガイド２１と第２のガイド１４とによって傾斜姿勢に状態を規制されたまま、傾斜通路４２内に転動する。
【００４９】
傾斜通路４２に案内された大径硬貨Ｌは、図１に示すレバー２２によって、凹形状壁面１２側へ押圧されるが、レール１３と第１のガイド２１と第２のガイド１４とによって支承されたまま、レール１３上を下流へ転動する。
【００５０】
この、大径硬貨Ｌが傾斜通路４２を通過して大径硬貨出口６０に落下するまでの転動姿勢の変化について、その構成とともに、さらに詳細に説明する。
【００５１】
図７は、本体１０を斜め上方から視た概念斜視図であり、レール１３の硬貨が転動する面と第２のガイド１４の硬貨が当接する面とを、点線斜線で強調して示している。また、図１等に示す第２のガイド１４の上部通路壁面１９に隠れている部分は点線でその輪郭を示している。なお、図中の円板体Ｌおよび円板体Ｓは、それぞれレール１３を転動する大径硬貨Ｌおよび小径硬貨Ｓの輪郭を示すものである。
【００５２】
また、図８は、装置本体１０に対してカバー２０を閉じた状態における図２のＢ−Ｂ切断部端面図であり、大径硬貨Ｌが仕切板１１の上方を通過する様子を示している。
【００５３】
図７に示すように、レール１３および第２のガイド１４は、下流へ進むにしたがって図１等に示すカバー２０側にせり出すように配置されて、このせり出し量は、レール１３よりも第２のガイド１４の方が大きいようにしている。
また、図１に示すように、第１のガイド２１ａは、下流に進むにしたがってその突き出し量が小さくなるように形成している。
【００５４】
上記構成によって、大径硬貨Ｌは、図６Ｃに示す垂直通路４１最下部においては、第１のガイド２１ａによって本体側に傾斜する姿勢となるが、図８に示す平面壁１６の位置においては、カバー２０側に傾斜する姿勢となる。
【００５５】
図９Ａ、図９Ｂおよび図９Ｃは、装置上方から視た図２におけるＣ−Ｃ切断部断面図であり、図９Ｂおよび図９Ｃは、大径硬貨Ｌがレール１３上を転動している様子を示している。
【００５６】
図９Ａに示すように、傾斜通路４２は、装置上方から視てＳ字状の通路壁を形成している。
【００５７】
このように構成された傾斜通路４２に案内された大径硬貨Ｌは、まず、図９Ｂに示すように、第１のガイド２１ａと第２のガイド１４とによって本体１０側に傾斜した姿勢に規制された状態から、第１のガイド２１ａおよび第２のガイド１４の形状の変化に伴って徐々に直立方向へと姿勢を変えながらレール１３上を転動する。
【００５８】
そして、レール１３上を転動しながら、図９Ｃに示すように、最初の傾斜姿勢と反対側であるカバー２０側に傾斜する姿勢へと変え、傾斜通路４２の下流端の下方に設けられた大径硬貨出口６０に落下する。この際、図１等に示すレバー２２によってカバー２０側から押圧して、大径硬貨Ｌを本体側へと押し付けるようにしている。
【００５９】
上述のような構成によって、大径硬貨Ｌがレール１３から脱落して、小径硬貨出口５０に落下して誤選別することを防止することができる。
【００６０】
このように、本発明では、硬貨受入口から硬貨通路内へ受け入れた硬貨のうち、小径硬貨を落下させながら小径硬貨出口へと振り分け、たとえ小径硬貨が落下中に振り分けられずに傾斜レール上を下流へ侵入しても、大径硬貨のみを第１のガイドと第２のガイドと傾斜レールとによって所定の傾斜姿勢を保持するように、傾斜レールに到達した際に一方の硬貨通路側壁側へ傾斜していた姿勢を下流方向に案内するに従って徐々に他方の硬貨通路側壁側へと倒しながら他方の硬貨通路側壁側へと進行方向を変えて大径硬貨出口へ案内し、前記所定の傾斜姿勢を保持しない小径硬貨を確実に小径硬貨出口へと案内するあるいは装置外部に排出することによって、小径硬貨の大径硬貨出口への侵入を防ぐようにしている。
【００６１】
したがって、短い硬貨通路内であっても確実に大径硬貨と小径硬貨との２種類に選別することができるので、従来よりも小型でかつ選別速度が向上し、さらに硬貨を複数枚連続して投入された場合であっても誤選別することがない硬貨処理装置を提供できる。
【００６２】
なお、上記実施例においては、大径硬貨Ｌと小径硬貨Ｓとの２種類の硬貨に振り分けるものと記載しているが、実際には、硬貨受入口３０の幅を上限とし、レール１３と第２のガイド１４との距離Ｘより若干大きい値を下限とする外径の硬貨は全て大径硬貨出口６０に振り分けられるものであり、他方、レール１３と第２のガイド１４との距離Ｘの値を上限とし、傾斜通路４２の下流端におけるレール１３と第２のガイド１４の上部１４ａとの距離Ｙの値を下限とする外径の硬貨は全て小径硬貨出口５０に振り分けられるものである。
【００６３】
よって、例えば、５００円硬貨と１０円硬貨とを大径硬貨出口６０に振り分け、１００硬貨と５０円硬貨とを小径硬貨出口５０に振り分けるよう設計することが可能である。
【００６４】
さらなる選別を行う場合、上記のような硬貨処理装置の各硬貨出口に別の硬貨処理装置の硬貨受入口を連通させて、第２のガイド１４とレール１３の転動面との距離を適宜設定することで、次々に選別することが可能である。
【００６５】
また、上記実施例における、硬貨処理装置は、上記形状に限定したものではなく、本発明の技術的な範囲は上記実施形態に記載の範囲には限定されないことは言うまでもない。
【００６６】
例えば、上記実施例においては、レール１３と第２のガイド１４との間の本体１０側の通路側壁に凹形状壁面１２を設けたが、この凹形状壁面１２は、凹形状に限らず、穴や空間にしてもよい。
【符号の説明】
【００６７】
１００    硬貨処理装置
１０    本体
１１    仕切板
１２    凹形状壁面
１２ａ  傾斜壁面
１３    レール
１４    第２のガイド
１４ａ  第２のガイドの下部
１５    壁面（衝突面）
１６    平面壁
１９    上部通路壁面
２０    カバー
２１    凸部
２１ａ  第１のガイド
２１ｂ  傾斜部
２２    レバー
３０    硬貨受入口
４０    硬貨通路
４１    垂直通路
４２    傾斜通路
５０    小径硬貨出口
６０    大径硬貨出口
【図１】
2012043340.tif 000003
【図２】
2012043340.tif 000004
【図３Ａ】
2012043340.tif 000005
【図３Ｂ】
2012043340.tif 000006
【図４Ａ】
2012043340.tif 000007
【図４Ｂ】
2012043340.tif 000008
【図４Ｃ】
2012043340.tif 000009
【図５Ａ】
2012043340.tif 000010
【図５Ｂ】
2012043340.tif 000011
【図５Ｃ】
2012043340.tif 000012
【図６Ａ】
2012043340.tif 000013
【図６Ｂ】
2012043340.tif 000014
【図６Ｃ】
2012043340.tif 000015
【図７】
2012043340.tif 000016
【図８】
2012043340.tif 000017
【図９Ａ】
2012043340.tif 000018
【図９Ｂ】
2012043340.tif 000019
【図９Ｃ】
2012043340.tif 000020